(57)【要約】【課題】  波刃による引き切り効果を発揮させるとともに、必要に応じて、一部の刃を取り替えることができる鎌を提供する。【解決手段】  ハンドル６と、このハンドル６の先端に設けられるとともに直線状にした保持部材３とを備えている。そして、上記保持部材３には、その長さ方向に沿って複数のカッター１１を取り替え可能に整列保持させ、これらカッター１１の刃の部分は、保持部材３の先端に向かって低くなる方向に傾斜させている。【選択図】  図１
2020000211.tif 000002
【特許請求の範囲】
【請求項１】
鎌本体は、
ハンドルと、
このハンドルの先端に設けられるとともに直線状にした保持部材とを備え、
上記保持部材には、その長さ方向に沿って整列させた複数のカッターを取り替え可能に保持させ、
上記複数のカッターのそれぞれは、その刃の部分を上記保持部材の先端に向かって低くなる方向に傾斜させてなる鎌。
【請求項２】
上記保持部材には、上記カッターの刃から突出するガード部が設けられた請求項１に記載の鎌。
【請求項３】
整列させた上記複数のカッターは、それらカッター同士の境界部分を緩やかな傾斜もしくは円弧を介して連続させた請求項１または２に記載の鎌。
【発明の詳細な説明】
【技術分野】
【０００１】
この発明は、稲や草を刈り取るための鎌に関する。
【背景技術】
【０００２】
従来から、稲や草などを刈り取る鎌として、特許文献１に記載されたものが知られている。
図７に示した鎌本体１は、ハンドル２の先端に刃プレートＰが設けられている。この刃プレートＰは垂り穂状に湾曲するとともに、この湾曲に沿って３つの弧状凹部Ｐａ〜Ｐｃを連続させている。
【０００３】
これら弧状凹部Ｐａ〜Ｐｃのそれぞれは、上記刃プレートＰの垂り穂状の湾曲に沿って傾斜させている。したがって、各弧状凹部Ｐａ〜Ｐｃのそれぞれは、図７に示すように、ハンドル２の軸線ｘに対する角度が相違することになる。例えば、ハンドル２に近い刃プレートＰの根元の弧状凹部Ｐｃはハンドル２の軸線ｘとほぼ直角の状態を保ち、中央部分の弧状凹部Ｐｂは上記弧状凹部Ｐｃよりも鋭角になり、先端の弧状凹部Ｐａは上記弧状凹部Ｐｂよりもさらに鋭角になっている。
【０００４】
上記のようにした従来の鎌は、例えば、稲や草などを刈るとき、上記各弧状凹部Ｐａ〜Ｐｃを草にあてがってハンドル２をその軸線ｘに沿って手前に引く。このようにハンドル２を引くと、ハンドル２を矢印ｙ方向に回す力が作用する。この力の作用で、稲や草は弧状凹部Ｐａ〜Ｐｃの傾斜に沿って相対移動するとともに、この相対移動によって、いわゆる引き切り効果が発揮される。
【先行技術文献】
【特許文献】
【０００５】
【特許文献１】実用新案登録第３１３６６８６号公報
【発明の概要】
【発明が解決しようとする課題】
【０００６】
従来の鎌は、ハンドル２の軸線ｘに対する各弧状凹部Ｐａ〜Ｐｃの角度が相違している。そのために、ハンドル２を軸線ｘ方向に引いて稲や草を切るときに、弧状凹部Ｐａ〜Ｐｃごとに相対移動角度も相違するので、それらの引き切り効果を発揮する力の方向も相違してしまう。例えば、ハンドル２の軸線ｘに対してほぼ直角にした弧状凹部Ｐｃでは、稲や草などに対して引き切り効果がほとんど期待できない。
【０００７】
つまり、稲や草がどの弧状凹部Ｐａ〜Ｐｃに当たるかによって、押し切りになったり引き切りになったりするので、それら稲や草に対する切れ具合が異なってくる。したがって、常に同じ切れ具合を実現しようとすれば、特定の弧状凹部Ｐａ〜Ｐｃを集中的に使用しなければならない。しかし、特定の弧状凹部Ｐａ〜Ｐｃを集中的に使用すれば、当該個所の刃が、他の個所よりも大きく磨耗したり刃こぼれしたりする。
【０００８】
もし、特定の個所の刃が他の個所の刃よりも大きく磨耗したり刃こぼれしたりすれば、他の部分の磨耗や刃こぼれが大したことがなくても、刃プレートＰの全部を研がなければならない。
しかし、上記のように各弧状凹部Ｐａ〜Ｐｃの刃の形が異なると、素人ではそれを研ぐことが難しくなる。
【０００９】
しかも、特定の個所とはいえ、刃プレートＰを研ぐとなると、一時的にも鎌の使用ができなくなる。
また、上記のように刃の形状が異なるので、製造過程における刃付けの作業も難しくなる。
【００１０】
この発明の目的は、全体で均一な引き切り効果を発揮できるとともに、必要に応じて一部の刃を取り替えることができる鎌を提供する。
【課題を解決するための手段】
【００１１】
第１の発明における鎌本体は、ハンドルとこのハンドルの先端に設けられるとともに直線状にした保持部材とを備えている。そして、上記保持部材にはその長さ方向に沿って複数のカッターを取り替え可能に整列保持させ、これらカッターの刃の部分は、保持部材の先端に向かって低くなる方向に傾斜させている。
【００１２】
上記のように保持部材を直線状にしたので、この保持部材に設けられたすべてのカッターの刃は、ハンドルの軸線に対して同じ角度を保つことができる。したがって、すべてのカッターが、稲や草などに対して同じような引き切りを実現できる。
【００１３】
第２の発明は、上記保持部材には、上記カッターの刃から突出するガード部材が設けられている。
このガード部材は、例えば、固い枝や幹あるいは石などが刃に直接当たるのを防ぎ、刃こぼれなどが生じないようにするためのものである。
【００１４】
第３の発明は、整列させた上記複数のカッターは、それらカッター同士の境界部分を滑らかな傾斜もしくは円弧を介して連続させている。
【発明の効果】
【００１５】
第１の発明によれば、直線状の保持部材の先端に向かって低くなる傾斜を備えた刃を設けるとともに、それら刃の傾斜はハンドルの軸線に対してすべて同じ角度になる。このようにすべての刃の傾斜が同じになるので、どの刃でも同じ引き切り効果を期待できるし、複数の刃を平均的に使って稲や草を刈ることができる。
【００１６】
複数の刃を平均的に使えるので、特定の刃のみが大きく磨耗したり刃こぼれしたりしない。もし、特定の刃のみが磨耗したり刃こぼれしたりしたとしても、その特定の刃のみを交換できるので、刃研ぎのために当該鎌が使えなくなるようなことがない。
また、摩耗した刃あるいは刃こぼれした刃のみを保持部材から取り外すことができるので、従来のように異形の刃が一体になっている場合と異なり素人でもそれら刃を研ぐことができる。
【００１７】
第２の発明によれば、刃からガード部材を突出させているので、固い枝や幹あるいは石などが刃に直接当たるのを防ぎ、刃こぼれを防ぐことができる。
【００１８】
第３の発明によれば、整列させた上記複数のカッターは、それらカッター同士の境界部分を滑らかな傾斜もしくは円弧を介して連続させているので、稲や草などが各刃と相対移動しながら、隣り合う刃にスムーズに乗り移ることができる。したがって、複数刃の合計長さ分の範囲で引き切り効果を期待できる。
【図面の簡単な説明】
【００１９】
【図１】ハンドルの一部を省略した第１実施形態の正面図である。
【図２】第１実施形態の分解斜視図で、（ａ）は保持部材の斜視図、（ｂ）は他方の挟持プレートの斜視図、（ｃ）は一方の挟持プレートの斜視図である。
【図３】第１実施形態の保持部材の一部を分解した断面拡大斜視図である。
【図４】第１実施形態の図１のIV−IV線断面図である。
【図５】ハンドルの一部を省略した第２実施形態の正面図である。
【図６】ハンドルの一部を省略した第３実施形態の正面図である。
【図７】従来の鎌を表した正面図である。
【発明を実施するための形態】
【００２０】
図１〜図４に、この発明の第１実施形態を示す。
この第１実施形態の鎌本体Ｂは、図１に示すように、直線状にした保持部材３と、この保持部材３に保持されるとともに、重ね合わせた状態で形状が一致する一対の挟持プレート４，５と、保持部材３に連結されるハンドル６とを主要素にしてなる。
【００２１】
上記保持部材３は、図２で示すように、その長手方向に沿って凹溝７が形成されているが、この凹溝７は、上記一対の挟持プレート４，５を重ね合わせた状態ではめ込むことができる寸法を保っている。
さらに、これら一対の挟持プレート４，５のそれぞれであって、凹溝７にはめ込まれる部分とは反対側に、保持部材３の長手方向に連続する３つの傾斜部８，９が形成されている。そして、これら各傾斜部８，９は、挟持プレート４，５の先端に向かって低くなるとともに、一対の挟持プレート４，５を保持部材３の凹溝７にはめ込んだ状態で、すべての傾斜部８，９がハンドル６の軸線ｘに対して同一角度を維持する。
【００２２】
上記のようにした一対の挟持プレート４，５のうち、一方の挟持プレート４の厚さを、他方の挟持プレート５の厚さよりも厚くするとともに、厚くした一方の挟持プレート４には、図３に示すように、各傾斜部８に沿った長方形の３つのカッター保持面１０を形成している。このカッター保持面１０は当該挟持プレート４の他の部分よりも厚さを薄くして、カッター保持面１０と他の部分との境界に段部を形成するとともに、この段部の高さはカッター１１の厚さと同じにしている。
【００２３】
また、上記カッター保持面１０には、このカッター保持面１０と一致する長方形のカッター１１をあてがうとともに、それを両挟持プレート４，５で挟持するようにしている。
なお、図中符号１２は、各カッター保持面１０に設けた突起で、この突起１２をカッター１１に形成した止め孔１３に差し込んで両挟持プレート４，５を重ね合わせれば、すべてのカッター１１は傾斜部８，９に沿って取り付けられる。
また、両挟持プレート４，５で挟持されたカッター１１は、図４に示すように、その峰の部分が両挟持プレート４，５内に組み込まれ、刃の部分だけが挟持プレート４，５の傾斜部８，９から外方に突出する。
【００２４】
上記のようにして挟持プレート４，５間に挟持された各カッター１１は、傾斜部８，９に沿って傾斜するとともに、上記軸線ｘに対して同じ傾斜角を保つことになる。
また、図中符号１４は保持部材３を貫通する固定孔、符号１５は両挟持プレート４，５に形成した止め孔で、これら固定孔１４及び止め孔１５のそれぞれは相互の位置関係を一致させている。そして、両挟持プレート４，５を重ね合わせて保持部材３の凹溝７にはめ込めば、固定孔１４及び止め孔１５が一致する。
したがって、これら一致した固定孔１４及び止め孔１５にボルト・ナット等の止め具１６を貫通させて締付けることによって、保持部材３、両挟持プレート４，５のそれぞれを一体化することができる。
【００２５】
なお、上記のように締付けたボルト・ナット等の止め具１６を緩めれば、保持部材３と、両挟持プレート４，５とを分解することができる。そして、上記挟持プレート４のカッター保持面１０に取り付けられたカッター１１は、その止め孔１３をカッター保持面１０の突起１２から外すことで、挟持プレート４から取り外すことができる。
したがって、特定のカッター１１のみが摩耗したり刃こぼれをしたりしたときには、その特定のカッター１１のみを取り外して、予備のカッター１１に取り替えることができる。
【００２６】
上記のようにした保持部材３の基端側には連結部１７を一体的にかつ直角に設けている。この接続部１７には連結部材１８を固定するとともに、この連結部材１８にハンドル６を連結している。したがって、上記保持部材３は、ハンドル６に対して直角の状態を維持することになる。
【００２７】
第１実施形態における鎌は、保持部材３に、３つに分割したカッター１１を、保持部材３の長さ方向に取り替え可能に整列させたので、それらカッター１１のうち、特定のカッター１１のみが磨耗もしくは刃こぼれしたとしても、その特定のカッター１１のみを取り替えれば足りることになる。
【００２８】
しかも、取り替え対象となるカッター１１は、保持部材３の長さに対して３分割しているので、保持部材３の長さ分を１枚のカッター１１にした場合よりも短くなり、その分、研ぐのも簡単になる。
また、ハンドル６に対する、カッター１１の傾斜部８，９の傾斜角がすべて同じになるので、各カッター１１による引き切り効果も同じになる。
【００２９】
図５に示した第２実施形態は、挟持プレート４，５にガード部１９を設け、このガード部１９の先端をカッター１１の刃から先に突出させているもので、ガード部１９以外の構成は第１実施形態と同じである。
上記のようにガード部１９を設けたので、固い枝や幹あるいは石などが刃に直接当たるのを防ぎ、刃こぼれを防ぐことができる。
【００３０】
図６に示した第３実施形態は、カッター１１同士の境界部分２０を緩やかな傾斜を介して連続する構成にしている。このように境界部分２０を緩やかに傾斜させたので、例えば、根元に近いカッター１１と相対移動する稲や草などが、保持部材３の先端方向において隣り合うカッター１１にスムーズに乗り移ることができる。したがって、個々のカッター１１の刃渡りが短くても、全体的には長い刃渡りを維持でき、その分、刈り取り幅を広く保つことができる。
【００３１】
なお、図６においては、境界部分２０を緩やかな傾斜にしたが、例えば、その境界部分２０を円弧にしてもよい。要するに、カッター１１と相対移動する稲や草が隣のカッター１１にスムーズに乗り移ることができればよい。
【産業上の利用可能性】
【００３２】
稲や草などの刈り取りに最適である。
【符号の説明】
【００３３】
Ｂ…鎌本体、３…保持部材、６…ハンドル、１１…カッター、１９…ガード部、２０…境界部分
【図１】
2020000211.tif 000003
【図２】
2020000211.tif 000004
【図３】
2020000211.tif 000005
【図４】
2020000211.tif 000006
【図５】
2020000211.tif 000007
【図６】
2020000211.tif 000008
【図７】
2020000211.tif 000009
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
鎌本体は、
ハンドルと、
このハンドルの先端に設けられるとともに、上記ハンドルの軸線に直交する直線状にした保持部材とを備え、
上記保持部材には、その長さ方向に沿って整列させた複数のカッターを取り替え可能に保持させ、
上記複数のカッターのそれぞれは、その刃の部分を上記保持部材の長手方向先端に向かって低くなる方向に傾斜させるとともに、
上記ハンドルの軸線に対する各カッターの傾斜角度を全て等しくしてなる鎌。
【請求項２】
鎌本体は、
ハンドルと、
このハンドルの先端に設けられるとともに、上記ハンドルの軸線に直交する直線状にした保持部材とを備え、
上記保持部材には、その長さ方向に沿って整列させた複数のカッターを取り替え可能に保持させ、
上記複数のカッターのそれぞれは、その刃の部分を上記保持部材の長手方向先端に向かって低くなる方向に傾斜させるとともに、
上記ハンドルに対する各カッターの傾斜角度を全て等しくしてなり、
上記保持部材には、一対の挟持プレートで挟持された上記カッターが保持されるとともに、
上記一対の挟持プレートのそれぞれには上記カッターの刃から突出するガード部が設けられた鎌。
【請求項３】
整列させた上記複数のカッターは、それらカッター同士の境界部分を緩やかな傾斜もしくは円弧を介して連続させた請求項１または２に記載の鎌。
【手続補正２】
【補正対象書類名】明細書
【補正対象項目名】００１１
【補正方法】変更
【補正の内容】
【００１１】
第１の発明における鎌本体は、ハンドルとこのハンドルの先端に設けられるとともに直線状にした保持部材とを備えている。そして、上記保持部材にはその長さ方向に沿って複数のカッターを取り替え可能に整列保持させ、これらカッターの刃の部分は、保持部材の長手方向先端に向かって低くなる方向に傾斜させるとともに、上記ハンドルの軸線に対する各カッターの傾斜角度を全て等しくしている。
【手続補正３】
【補正対象書類名】明細書
【補正対象項目名】００１３
【補正方法】変更
【補正の内容】
【００１３】
第２の発明は、上記保持部材には、一対の挟持プレートで挟持された上記カッターが保持されるとともに、上記一対の挟持プレートのそれぞれには上記カッターの刃から突出するガード部材が設けられている。
このガード部材は、例えば、固い枝や幹あるいは石などが刃に直接当たるのを防ぎ、刃こぼれなどが生じないようにするためのものである。